(57)【要約】【課題】過去にプリンターに施した印刷設定を再設定することが容易なプリンターを提供すること。【解決手段】プリンター２は、ラベル用紙１０の印刷に用いる印刷設定情報を記憶保持する印刷設定記憶部２８と、印刷設定情報に基づいてラベル用紙１０に印刷データを印刷する印刷制御部４５と、印刷設定情報を担持する２次元コード３３を生成して当該２次元コード３３を前記ラベル用紙１０に印刷するコード印刷部５１と有する。プリンター２から発行されるラベル１２に印刷された２次元コード３３を情報端末４により読み取って、情報端末４において印刷設定情報を取得する。その後、情報端末４からプリンター２に印刷設定情報を送信すれば、プリンター２では、過去に施した印刷設定を再現できる。【選択図】図３
2017120483.tif 000002
【特許請求の範囲】
【請求項１】
印刷媒体の印刷に用いられる印刷設定情報を記憶保持する印刷設定記憶部と、
前記印刷設定情報に基づいて印刷媒体に印刷データを印刷する印刷制御部と、
前記印刷設定情報を担持する２次元コードを生成して当該２次元コードを前記印刷媒体
に印刷するコード印刷部と、を有することを特徴とするプリンター。
【請求項２】
請求項１において、
外部の機器との間で通信を行う通信部と、
前記通信部を介して外部の機器から供給された前記印刷設定情報により、前記印刷設定
記憶部に予め記憶保持されていた前記印刷設定情報を書き換える設定部と、
を有することを特徴とするプリンター。
【請求項３】
請求項１または２において、
前記印刷設定情報には、前記印刷媒体の用紙サイズを設定する用紙サイズ情報および用
紙種類を設定する用紙種類情報の少なくとも一方が含まれることを特徴とするプリンター
。
【請求項４】
請求項１ないし３において、
印刷ヘッドと、
前記印刷ヘッドによる印刷位置を経由する搬送路に沿って前記印刷媒体を搬送する搬送
機構と、を有し、
前記印刷制御部は、前記印刷設定情報および前記印刷データに基づいて前記印刷ヘッド
および前記搬送機構を駆動制御して印刷を行い、
前記印刷設定情報には、前記印刷媒体を印刷する際の印刷解像度を設定する印刷解像度
情報および印刷速度を設定する印刷速度情報の少なくとも一方が含まれることを特徴とす
るプリンター。
【請求項５】
請求項４において、
前記搬送機構を駆動して前記印刷媒体を前記印刷位置に頭出しする頭出し動作を行う頭
出し制御部と、
前記頭出し動作において前記搬送機構が前記印刷媒体を搬送する規定搬送量を補正する
搬送量補正値の入力を受け付ける補正値入力部と、
前記補正値入力部を介して入力された搬送量補正値を、前記印刷設定記憶部に記憶保持
する補正値記憶部と、を備え、
前記頭出し制御部は、前記印刷設定記憶部に前記搬送量補正値が記憶保持されていない
場合には、前記頭出し動作において前記印刷媒体を前記規定搬送量だけ搬送し、前記印刷
設定記憶部に前記搬送量補正値が記憶保持されている場合には、前記頭出し動作において
前記規定搬送量を前記搬送量補正値で補正した補正搬送量だけ前記印刷媒体を搬送し、
前記印刷設定情報には、前記搬送量補正値が含まれることを特徴とするプリンター。
【請求項６】
請求項１ないし５のうちのいずれかの項において、
前記コード印刷部は、前記２次元コードに機種情報を担持させることを特徴とするプリ
ンター。
【請求項７】
請求項１ないし６のうちのいずれかの項において、
前記コード印刷部は、前記２次元コードに個体識別情報を担持させることを特徴とする
プリンター。
【請求項８】
請求項１ないし７のうちのいずれかの項において、
前記コード印刷部は、前記２次元コードとともに、前記印刷設定情報を文字で印刷する
ことを特徴とするプリンター。
【請求項９】
プリンターと、
前記プリンターと通信する情報端末と、を有し、
前記プリンターは、印刷媒体の印刷に用いる印刷設定情報を記憶保持する印刷設定記憶
部と、前記印刷設定情報に基づいて印刷媒体に印刷データを印刷する印刷制御部と、前記
印刷設定情報を担持する２次元コードを生成して当該２次元コードを前記印刷媒体に印刷
するコード印刷部と、前記情報端末との間で通信を行う通信部と、前記通信部を介して前
記情報端末から供給された前記印刷設定情報で前記印刷設定記憶部に予め記憶保持されて
いた前記印刷設定情報を書き換える設定部と、を備え、
前記情報端末は、前記２次元コードから前記印刷設定情報を取得する設定情報取得部と
、前記２次元コードから取得した前記印刷設定情報を前記プリンターに供給する設定情報
供給部と、
を備えることを特徴とする印刷システム。
【請求項１０】
プリンターが記憶保持する印刷設定情報から当該印刷設定情報を担持する２次元コード
を生成して当該プリンターによって当該２次元コードを印刷媒体に印刷し、
情報端末において前記印刷媒体から前記２次元コードを読み取って前記印刷設定情報を
取得し、
前記情報端末から前記プリンターに前記印刷設定情報を送信し、
前記印刷設定情報を受信したプリンターでは、当該印刷設定情報に基づき保持する前記
印刷設定情報が書き換えられることを特徴とするプリンターの設定方法。
【発明の詳細な説明】
【技術分野】
【０００１】
本発明は、過去にプリンターに施した印刷設定を再設定することが容易なプリンター、
および、当該プリンターを備える印刷システムに関する。また、印刷媒体を使用するとき
に当該印刷媒体を過去に使用したときの印刷設定をプリンターに施すことが容易なプリン
ター設定方法に関する。
【背景技術】
【０００２】
プリンターにセットする印刷媒体を変更する際には、変更後の印刷媒体の用紙サイズや
用紙種類に対応させてプリンターの印刷設定を変更する必要がある。このような印刷設定
をプリンターに手作業で入力すること煩雑であり、入力ミスを招く。ここで、特許文献１
には、機器間で通信設定を行う際に、手作業による通信設定の入力を省略する技術が記載
されている。特許文献１に記載の技術では、機器間で通信設定を行う際に、一方の機器か
ら通信設定情報を担持する２次元コードを出力する。他方の機器は、２次元コードを読み
取って、２次元コードに担持された通信設定情報を取得する。そして、他方の機器は、取
得した通信設定情報を自己の通信設定に反映する。特許文献１では、２次元コードはＱＲ
コード（登録商標）である。
【先行技術文献】
【特許文献】
【０００３】
【特許文献１】特開２０１４−１１０５５２号公報
【発明の概要】
【発明が解決しようとする課題】
【０００４】
プリンターに印刷設定を施す際にも、予め、印刷媒体の用紙サイズ情報や用紙種類情報
などの媒体情報を担持する２次元コードを生成しておき、この２次元コードを利用して印
刷設定の手作業での入力を省略することが考えられる。例えば、コードリーダーを備える
情報端末で２次元コードを読み取って、情報端末において２次元コードをデコードして媒
体情報を取得する。そして、取得した媒体情報を情報端末からプリンターに送信すれば、
印刷媒体の媒体情報を、手作業によらずに、プリンターに入力できる。
【０００５】
しかし、この場合には、印刷媒体の媒体情報に関する印刷設定がプリンターに施される
だけであり、過去に同一の印刷媒体を使用したときにプリンターに施した印刷設定の全て
をプリンターに設定することはできない。例えば、過去に同一の印刷媒体を使用したとき
に頭出し位置を補正している場合などに、頭出し位置を補正するための搬送量の補正値を
プリンターに設定することはできない。従って、このような設定の補正値は、印刷媒体を
セットした後にテスト印刷を行って補正値を取得し、取得した補正値は手作業によってプ
リンターに設定する必要がある。
【０００６】
本発明の課題は、このような点に鑑みて、過去にプリンターに施した印刷設定を再設定
することが容易なプリンターを提供することにある。また、このようなプリンターを備え
る印刷装置を提供することにある。さらに、印刷媒体を使用するときに、当該印刷媒体を
過去に使用したときの印刷設定をプリンターに設定するプリンター設定方法を提案するこ
とにある。
【課題を解決するための手段】
【０００７】
上記の課題を解決するために、本発明のプリンターは、印刷媒体の印刷に用いられる印
刷設定情報を記憶保持する印刷設定記憶部と、前記印刷設定情報に基づいて印刷媒体に印
刷データを印刷する印刷制御部と、前記印刷設定情報を担持する２次元コードを生成して
当該２次元コードを前記印刷媒体に印刷するコード印刷部と、を有することを特徴とする
。
【０００８】
本発明によれば、プリンターは、自己の設定記憶部に記憶保持された印刷設定情報を担
持する２次元コードを印刷する。従って、プリンターが印刷する２次元コードには、プリ
ンターに対して入力された各種の設定の補正値も含まれる。よって、プリンターから出力
された２次元コードを、コードリーダーを備える情報端末で読み取って印刷設定情報を取
得し、取得した印刷設定情報をプリンターに送信してプリンターの印刷設定を行えば、過
去にプリンターに施した印刷設定を再現できる。例えば、印刷媒体を使用するときに、当
該印刷媒体を過去に使用したときの印刷設定と同一の印刷設定をプリンターに再設定でき
る。従って、プリンターにより印刷を行ったときに所望の印刷結果を得ることができる。
また、本発明によれば、一つのプリンターに施した印刷設定と同一の印刷設定を他のプリ
ンターに施すことも容易である。
【０００９】
本発明において、外部の機器との間で通信を行う通信部と、前記通信部を介して外部の
機器から供給された前記印刷設定情報により、前記印刷設定記憶部に予め記憶保持されて
いた前記印刷設定情報を書き換える設定部と、を有するものとすることができる。このよ
うにすれば、情報端末などから印刷設定情報の供給を受けることにより、プリンターは自
己の印刷設定を変更できる。
【００１０】
本発明において、前記印刷設定情報には、前記印刷媒体の用紙サイズを設定する用紙サ
イズ情報および用紙種類を設定する用紙種類情報の少なくとも一方が含まれることが望ま
しい。このようにすれば、印刷設定情報を用いてプリンターを設定したときに、印刷媒体
に適した設定をプリンターに施すことができる。
【００１１】
本発明において、印刷ヘッドと、前記印刷ヘッドによる印刷位置を経由する搬送路に沿
って前記印刷媒体を搬送する搬送機構と、を有し、前記印刷制御部は、前記印刷設定情報
および前記印刷データに基づいて前記印刷ヘッドおよび前記搬送機構を駆動制御して印刷
を行い、前記印刷設定情報には、前記印刷媒体を印刷する際の印刷解像度を設定する印刷
解像度情報および印刷速度を設定する印刷速度情報の少なくとも一方が含まれるものとす
ることができる。このようにすれば、印刷設定情報を用いてプリンターを設定したときに
、所望の印刷解像度の印刷結果を得ることができる。あるいは、所望の印刷速度で印刷を
行うことができる。
【００１２】
本発明において、前記搬送機構を駆動して前記印刷媒体を前記印刷位置に頭出しする頭
出し動作を行う頭出し制御部と、前記頭出し動作において前記搬送機構が前記印刷媒体を
搬送する規定搬送量を補正する搬送量補正値の入力を受け付ける補正値入力部と、前記補
正値入力部を介して入力された搬送量補正値を、前記印刷設定記憶部に記憶保持する補正
値記憶部と、を備え、前記頭出し制御部は、前記印刷設定記憶部に前記搬送量補正値が記
憶保持されていない場合には、前記頭出し動作において前記印刷媒体を前記規定搬送量だ
け搬送し、前記印刷設定記憶部に前記搬送量補正値が記憶保持されている場合には、前記
頭出し動作において前記規定搬送量を前記搬送量補正値で補正した補正搬送量だけ前記印
刷媒体を搬送し、前記印刷設定情報には、前記搬送量補正値が含まれるものとすることが
できる。このようにすれば、２次元コードには、頭出し動作における搬送量を調整するた
めの搬送量補正値が担持される。従って、２次元コードに基づいてプリンターに印刷設定
を施せば、プリンターの頭出し動作において搬送量が調整された状態となる。
【００１３】
本発明において、前記コード印刷部は、前記２次元コードに機種情報を担持させるもの
とすることができる。印刷設定情報に含まれる各種の設定の補正値はプリンターの機種に
依存する値となっている場合がある。従って、２次元コードに機種情報が担持されていれ
ば、２次元コードに担持された機種情報がどのような機種のプリンターに対応するものか
を判断できる。
【００１４】
本発明において、前記コード印刷部は、前記２次元コードに個体識別情報を担持させる
ものとすることができる。印刷設定情報に含まれる各種の設定の補正値はプリンターの個
体に依存する値となっている場合がある。従って、２次元コードに機種情報が担持されて
いれば、２次元コードに担持された機種情報がどのプリンター（個体）に対応するものか
を判断できる。
【００１５】
本発明において、前記コード印刷部は、前記２次元コードとともに、前記印刷設定情報
を文字で印刷するものとすることができる。このようにすれば、２次元コードが印刷され
た印刷物を見ることにより、操作者が印刷設定情報を確認できる。また、操作者は、２次
元コードが印刷された印刷物を見ながら、印刷設定情報を手作業でプリンターに入力する
こともできる。
【００１６】
次に、本発明の印刷システムは、プリンターと、前記プリンターと通信する情報端末と
、を有し、前記プリンターは、印刷媒体の印刷に用いる印刷設定情報を記憶保持する印刷
設定記憶部と、前記印刷設定情報に基づいて印刷媒体に印刷データを印刷する印刷制御部
と、前記印刷設定情報を担持する２次元コードを生成して当該２次元コードを前記印刷媒
体に印刷するコード印刷部と、前記情報端末との間で通信を行う通信部と、前記通信部を
介して前記情報端末から供給された前記印刷設定情報で前記印刷設定記憶部に予め記憶保
持されていた前記印刷設定情報を書き換える設定部と、を備え、前記情報端末は、前記２
次元コードから前記印刷設定情報を取得する設定情報取得部と、前記２次元コードから取
得した前記印刷設定情報を前記プリンターに供給する設定情報供給部と、を備えることを
特徴とする。
【００１７】
本発明によれば、プリンターから出力された印刷物に印刷された２次元コードを情報端
末で読み取ることにより、当該プリンターに設定されている印刷設定情報を取得できる。
また、情報端末からプリンターに印刷設定情報を送信することにより、当該印刷設定情報
をプリンターの印刷設定に反映できる。従って、プリンターに手作業で印刷設定を入力す
ることなく、プリンターに印刷設定を施すことができる。また、プリンターは、自己の設
定記憶部に記憶保持された印刷設定情報を２次元コードとして印刷する。従って、プリン
ターが印刷する２次元コードには、プリンターに対して入力された各種の設定の補正値も
含まれる。よって、２次元コードから取得した印刷設定情報をプリンターに供給してプリ
ンターの印刷設定を行えば、過去にプリンターに施した印刷設定を再現できる。例えば、
印刷媒体を使用するときに、当該印刷媒体を過去に使用したときの印刷設定と同一の印刷
設定をプリンターに再設定できる。従って、プリンターにより印刷を行ったときに所望の
印刷結果を得ることができる。また、本発明によれば、一つのプリンターに施した印刷設
定と同一の印刷設定を他のプリンターに施すことも容易である。
【００１８】
次に、本発明のプリンターの設定方法は、プリンターが記憶保持する印刷設定情報から
当該印刷設定情報を担持する２次元コードを生成して当該プリンターによって当該２次元
コードを印刷媒体に印刷し、情報端末において前記印刷媒体から前記２次元コードを読み
取って前記印刷設定情報を取得し、前記情報端末から前記プリンターに前記印刷設定情報
を送信し、前記印刷設定情報を受信したプリンターでは、当該印刷設定情報に基づき保持
する前記印刷設定情報が書き換えられることを特徴とする。
【００１９】
本発明によれば、プリンターに手作業で印刷設定を入力することなく、プリンターに印
刷設定を施すことができる。また、プリンターは、自己の設定記憶部に記憶保持された印
刷設定情報を２次元コードとして印刷する。従って、プリンターが印刷する２次元コード
には、プリンターに対して入力された各種の設定の補正値が含まれる。よって、２次元コ
ードから取得した印刷設定情報をプリンターに送信してプリンターの印刷設定を行えば、
過去にプリンターに施した印刷設定を再現できる。例えば、印刷媒体を使用するときに、
当該印刷媒体を過去に使用したときの印刷設定と同一の印刷設定をプリンターに再設定で
きる。従って、プリンターにより印刷を行ったときに所望の印刷結果を得ることができる
。また、本発明によれば、一つのプリンターに施した印刷設定と同一の印刷設定を他のプ
リンターに施すことも容易である。
【図面の簡単な説明】
【００２０】
【図１】印刷システムの概略システム構成図と印刷媒体の説明図である。
【図２】プリンターの説明図である。
【図３】印刷システムの制御系のブロック図である。
【図４】印刷設定動作のフローチャートである。
【発明を実施するための形態】
【００２１】
以下に図面を参照しながら本発明の実施形態である印刷システムを説明する。
【００２２】
（印刷システム）
図１（ａ）は印刷システムの概略システム構成図であり、図１（ｂ）は印刷システムに
用いられる印刷媒体の説明図である。図２は印刷システムを構成するプリンターの説明図
である。図1（ａ）に示すように、印刷システム１は、プリンター２と、プリンター２に
接続されたホスト装置３と、プリンター２と通信する情報端末４を有する。
【００２３】
プリンター２は、直方体形状の筐体５を備える。筐体５の前面には排紙口６が設けられ
ている。また、プリンター２は筐体５の上面に操作パネル７を備える。操作パネル７は表
示部８と操作ボタン９を備える。プリンター２は、台紙１１にラベル１２が一定間隔で剥
離可能に貼り付けられたラベル用紙１０に印刷を行うロール紙プリンターである。
【００２４】
図２に示すように、プリンター２は、筐体５の内部にラベル用紙１０を収納するラベル
用紙収納部１６を備える。また、プリンター２は筐体５の内部に、ラベル用紙収納部１６
から印刷ヘッド１７による印刷位置Ａを経由して排紙口６に至る搬送路１８を備える。さ
らに、プリンター２は搬送路１８に沿ってラベル用紙１０を搬送する搬送機構１９を備え
る。搬送機構１９は搬送ローラー２０と搬送モーター２１を備える。搬送モーター２１は
搬送機構１９の駆動源である。また、プリンター２は、搬送路１８におけるラベル用紙１
０の搬送方向で搬送ローラー２０よりも上流側にラベル位置検出器２２を備える。ラベル
位置検出器２２は、ラベル用紙１０の台紙１１に印刷されたブラックマークを光学的に検
出する反射型のフォトセンサである。或いは、ラベル位置検出器２２は、台紙１１におけ
るラベル１２とラベル１２の間の部分を光学的に検出する透過型のフォトセンサである。
【００２５】
また、プリンター２は、プリンター２の動作を制御するプリンター制御部２７を備える
。プリンター制御部２７には、ホスト装置３との間で通信を行うための第１通信部２５と
、情報端末４との間で通信を行うための第２通信部（通信部）２６が接続されている。第
２通信部２６は、近距離無線通信を行うための通信インターフェースを備える。本例では
、第２通信部２６は、近距離無線通信の通信規格であるＮＦＣ（Ｎｅａｒ  Ｆｉｅｌｄ  
Ｃｏｍｍｕｎｉｃａｔｉｏｎ）により通信を行う。なお、第２通信部２６は、赤外線通信
、Ｂｌｕｅｔｏｏｔｈ（登録商標）などにより通信を行うものとすることができる。また
、プリンター制御部２７には、プリンター２の印刷設定を記憶保持する印刷設定記憶部２
８が接続されている。
【００２６】
ホスト装置３はプリンター２に印刷データを供給する。情報端末４はプリンター２に印
刷設定を施すために用いられる。情報端末４はタッチパネル１３を備えるタブレット端末
であり、プリンター２との間で近距離無線通信を行う。
【００２７】
プリンター２にセットされるラベル用紙１０は、ロール紙であり、図１（ｂ）に示すよ
うに、包装紙３１などに包まれた状態で提供される。プリンター２では、ラベル１２の用
紙種類や用紙サイズの異なる複数種類のラベル用紙１０を印刷に用いることができる。図
１（ｂ）に示す各ラベル用紙１０はストック用である。すなわち、各ラベル用紙１０は、
プリンター２で使用するために、在庫として保管されているものである。
【００２８】
各ラベル用紙１０の包装紙３１にはシール３２が貼り付けられている。シール３２には
２次元コード３３が印刷されている。本例では、２次元コード３３はＱＲコードである。
２次元コード３３には、ラベル用紙１０をプリンター２にセットして印刷に用いる場合の
プリンター２の印刷設定情報が担持されている。ここで、シール３２は、プリンター２か
ら出力されたものである。すなわち、シール３２はプリンター２によって２次元コード３
３が印刷されたラベル１２が台紙１１から剥がされ、包装紙３１に貼り付けられたもので
ある。
【００２９】
（制御系）
図３は印刷システム１の制御系の概略ブロック図である。ホスト装置３はＣＰＵやメモ
リーを備えるホスト装置制御部４１を中心に構成されている。ホスト装置制御部４１には
、プリンター２との間で通信を行うためのホスト装置通信部４２が接続されている。ホス
ト装置制御部４１はラベル用紙１０に印刷を施すための印刷データを生成する。また、ホ
スト装置制御部４１は、生成した印刷データを、ホスト装置通信部４２を介して、プリン
ター２に送信する。
【００３０】
プリンター２はＣＰＵやメモリーを備えるプリンター制御部２７を中心に構成されてい
る。プリンター制御部２７には、第１通信部２５、第２通信部２６、および、印刷設定記
憶部２８が接続されている。プリンター制御部２７の入力側にはラベル位置検出器２２が
接続されている。プリンター制御部２７の出力側には印刷ヘッド１７と搬送モーター２１
が接続されている。
【００３１】
プリンター制御部２７は、印刷制御部４５を備える。印刷制御部４５は、第１通信部２
５を介してホスト装置３からの印刷データを受信する。そして、プリンター制御部２７は
、印刷設定記憶部２８に記憶保持された印刷設定情報と印刷データとに基づいて印刷ヘッ
ド１７および搬送モーター２１を駆動制御して印刷データを印刷する。
【００３２】
印刷制御部４５は、頭出し制御部４６、補正値入力部４７および、補正値記憶部４８を
備える。
【００３３】
頭出し制御部４６は、プリンター制御部２７に印刷データが供給されると、搬送モータ
ー２１（搬送機構１９）を駆動してラベル用紙１０を印刷位置Ａに頭出しする頭出し動作
を行う。頭出し動作では、頭出し制御部４６は、ラベル位置検出器２２がブラックマーク
を検出した時点から（或いは、ラベル位置検出器２２がラベル１２の間のギャップを検出
した時点から）、規定搬送量だけラベル用紙１０を搬送して、ラベル１２を印刷位置Ａに
位置決めする。なお、頭出し動作として、頭出し制御部４６は、ラベル位置検出器２２が
ブラックマークを検出した時点から（或いは、ラベル位置検出器２２がラベル１２の間の
ギャップを検出した時点から）、規定搬送量だけラベル用紙１０をバックフィードして、
ラベル１２を印刷位置Ａに位置決めする場合もある。
【００３４】
補正値入力部４７は、頭出し動作において搬送機構１９がラベル用紙１０を搬送する規
定搬送量を補正する搬送量補正値の入力を受け付ける。すなわち、補正値入力部４７は、
操作者が操作パネル７の操作ボタン９を介して入力する搬送量補正値を受け付ける。
【００３５】
補正値記憶部４８は、補正値入力部４７が受け付けた搬送量補正値を、印刷設定情報の
一つして、印刷設定記憶部２８に記憶保持する。
【００３６】
ここで、頭出し制御部４６は、印刷設定記憶部２８に搬送量補正値が記憶保持されてい
ない場合には、頭出し動作においてラベル用紙１０を規定搬送量だけ搬送する。一方、印
刷設定記憶部２８に搬送量補正値が記憶保持されている場合には、頭出し制御部４６は、
頭出し動作において規定搬送量を搬送量補正値で補正した補正搬送量だけラベル用紙１０
を搬送する。
【００３７】
次に、プリンター制御部２７は、コード印刷部５１と、設定部５２を備える。コード印
刷部５１は、プリンター制御部２７にコード印刷コマンドが供給されると、印刷設定記憶
部２８を参照して、当該印刷設定記憶部２８に記憶保持された印刷設定情報を担持する２
次元コードを生成する。コード印刷コマンドは、操作者が操作ボタン９を操作することに
よりプリンター制御部２７に供給される。或いは、コード印刷コマンドは、ホスト装置３
から供給される。
【００３８】
印刷設定記憶部２８に記憶保持されている印刷設定情報にはラベル用紙１０の媒体情報
およびプリンター設定情報が含まれる。従って、２次元コードに担持される情報には、媒
体情報およびプリンター設定情報が含まれる。
【００３９】
媒体情報には用紙種類情報が含まれる。用紙種類情報はラベル１２の用紙種類が光沢紙
であるか、マット紙であるか、普通紙であるか、などを示す。また、媒体情報には用紙サ
イズ情報が含まれる。用紙サイズ情報は、ラベル１２の幅、長さ、ラベル１２間のギャッ
プを示す。さらに、媒体情報にはラベル位置検出方法情報が含まれる。ラベル位置検出方
法情報は、台紙１１に印刷されたブラックマークを検出するブラックマーク検出方法によ
りラベル１２の位置を検出するか、或いは、ラベル１２とラベル１２の間のギャップを検
出するギャップ検出方法によりラベル１２の位置を検出するかを示す。また、媒体情報に
はフォーム情報が含まれる。フォーム情報は、ラベル用紙１０に貼り付けられたラベル１
２がダイカットされているか（ダイカットラベルであるか）、または、ラベル１２がダイ
カットされていない連続ラベルであるかを示す。
【００４０】
プリンター設定情報には印刷解像度を設定する印刷解像度情報や、印刷速度を設定する
印刷速度情報が含まれる。また、プリンター設定情報には、各種の設定の補正値が含まれ
る。より具体的には、プリンター設定情報には搬送補正値が含まれる。ここで、プリンタ
ー設定情報に含まれる補正値としては、ラベル用紙１０の幅方向における印刷位置を調整
するために左右のマージンを補正するマージン補正値などもある。マージン補正値は、操
作ボタン９を介してプリンター制御部２７に入力される。マージン補正値の入力を受け付
けたプリンター制御部２７は、マージン補正値を印刷設定情報の一つとして、印刷設定記
憶部２８に記憶保持する。
【００４１】
ここで、コード印刷部５１は、２次元コードを生成する際に、２次元コードに、印刷設
定情報とともに当該プリンター２の機種情報および個体識別情報を担持させる。従って、
２次元コードは、印刷設定情報、機種情報および個体識別情報を担持するものとなる。機
種情報は、例えば、プリンター２の製品名であり、個体識別情報は、例えば、プリンター
２の製造番号である。そして、コード印刷部５１は、生成した２次元コードをラベル用紙
１０に印刷する。
【００４２】
設定部５２は、情報端末４から第１通信部２５を介して供給された印刷設定情報を自己
の印刷設定に反映する。すなわち、設定部５２は、情報端末４から印刷設定情報の供給を
受けると、印刷設定記憶部２８に予め記憶保持されている印刷設定情報を、新たに供給さ
れた印刷設定情報で書き換える。設定部５２によって印刷設定情報が書き換えられると（
上書きされると）、印刷設定情報はプリンター２の印刷設定として反映される。すなわち
、設定部５２によって印刷設定情報が書き換えられると、印刷制御部４５は、書き換えら
れた新たな印刷設定情報に基づいて印刷データを印刷する。
【００４３】
ここで、プリンター制御部２７は、外部の機器から機種情報や個体識別情報を問い合わ
せる情報取得コマンドを受信すると、この受信取得コマンドに対する返信として、問い合
わせを行った外部の機器に機種情報や個体識別情報を送信する。
【００４４】
情報端末４はＣＰＵやメモリーを備える端末制御部５５を中心に構成されている。端末
制御部５５には、近距離無線通信を行う端末通信部５６が接続されている。端末通信部５
６は第１通信部２５と同様の通信規格により近距離無線通信を行う。端末制御部５５には
タッチパネル１３が接続されている。また、端末制御部５５にはカメラ３４が接続されて
いる。
【００４５】
端末制御部５５ではプリンター設定プログラム５７が動作する。プリンター設定プログ
ラム５７は、情報端末４を、機種情報取得部６１、設定情報取得部６２、および、設定情
報送信部（設定情報供給部）６３として機能させる。
【００４６】
機種情報取得部６１は、端末通信部５６を介してプリンター２との間で通信を行ってプ
リンター２の機種情報および個体識別情報を取得する。より具体的には、情報端末４とプ
リンター２が接近して情報端末４とプリンター２とが通信可能となると、機種情報取得部
６１はプリンター２に情報取得コマンドを送信する。そして、機種情報取得部６１は、プ
リンター２に送信した情報取得コマンドに対する返信としてプリンター２から供給される
機種情報および個体識別情報を取得する。
【００４７】
設定情報取得部６２は２次元コード３３から当該２次元コード３３が担持する情報を取
得する。すなわち、設定情報取得部６２により、カメラ３４が起動され、操作者に２次元
コード３３の撮影を促す。そして、カメラ３４により２次元コード３３が撮影されると、
設定情報取得部６２は、当該２次元コード３３をデコードして印刷設定情報、機種情報お
よび個体識別情報を取得する。
【００４８】
設定情報送信部６３は、設定情報取得部６２が印刷設定情報、機種情報および個体識別
情報を取得すると、取得した機種情報および個体識別情報と機種情報取得部６１が取得し
ている機種情報および個体識別情報を比較する。そして、これらが一致している場合に、
設定情報送信部６３は、印刷設定情報を、端末通信部５６を介して、プリンター２に送信
する。
【００４９】
（プリンター設定動作）
図４はプリンター設定動作のフローチャートである。図４に示す例では、まず、プリン
ター２に対する印刷設定が完了しているものとする。すなわち、プリンター２には特定の
ラベル用紙１０がセットされているとともに、当該ラベル用紙１０の印刷に適した印刷設
定がプリンター２に施されている。
【００５０】
より具体的には、プリンター２に対して、既に、用紙種類情報、用紙サイズ情報、ラベ
ル位置検出方法情報、フォーム情報の入力が完了した状態である。また、プリンター２に
対して、印刷解像度情報および印刷速度情報の入力が完了した状態である。さらに、特定
のラベル用紙１０を用いたテスト印刷が行われ、プリンター２には頭出し位置を補正する
搬送量補正値が入力されている。従って、印刷設定記憶部２８には、媒体情報（用紙種類
情報、用紙サイズ情報、ラベル位置検出方法情報、フォーム情報）、プリンター設定情報
（印刷解像度情報、印刷速度情報、搬送量補正値）を含む印刷設定情報が記憶保持されて
いる。
【００５１】
プリンター２の操作ボタン９が操作されてプリンター制御部２７にコード印刷コマンド
が入力されると、プリンター２は、印刷設定記憶部２８を参照して印刷設定情報を担持す
る２次元コード３３を生成する（ステップＳＴ１）。当該２次元コード３３には印刷設定
情報に加えて、機種情報、個体識別情報が担持される。さらに、プリンター２は、生成し
た２次元コード３３が印刷されたシール３２（ラベル１２）を発行する（ステップＳＴ２
）。
【００５２】
２次元コード３３が印刷されたシール３２（ラベル１２）が発行されると、操作者は、
このシール３２をストック用のラベル用紙１０であって、その時点でプリンター２にセッ
トされているラベル用紙１０と同一のラベル用紙１０の包装紙３１に貼り付ける。
【００５３】
ここで、操作者は、種類の異なるラベル用紙１０を用いてプリンター２に印刷設定を施
した場合には、印刷設定が完了した後に、上記のステップＳＴ１およびステップＳＴ２を
繰り返す。そして、操作者は、ステップＳＴ２において発行されたシール３２をストック
用のラベル用紙１０であって、その時点でプリンター２にセットされているラベル用紙１
０と同一のラベル用紙１０の包装紙３１に貼り付ける。これにより、ストック用のラベル
用紙１０には、図１（ｂ）に示すように、２次元コード３３を印刷したシール３２が貼り
付けられた状態となる。
【００５４】
その後、プリンター２において、ラベル用紙１０を新たな種類のものと交換する場合に
は、操作者は、ストック用のラベル用紙１０から、印刷に使用するラベル用紙１０を選択
する。そして、情報端末４を用いて、選択したラベル用紙１０の包装紙３１に貼り付けら
れたシール３２（ラベル１２）の２次元コード３３を読み取る（ステップＳＴ２１）。そ
して、情報端末４は２次元コード３３に担持された印刷設定情報を取得する（ステップＳ
Ｔ２２）。その後、情報端末４とプリンター２とを接近させることにより、情報端末４か
らプリンター２に印刷設定情報を送信する（ステップＳＴ２３）。
【００５５】
情報端末４からの印刷設定情報をプリンター２が取得すると、プリンター２は、取得し
た印刷設定情報で印刷設定記憶部２８に予め記憶保持されていた印刷設定情報を書き換え
る。これにより、プリンター２には、情報端末４からの印刷設定情報を自己の印刷設定と
して反映する（ステップＳＴ２４）。
【００５６】
ここで、ステップＳＴ２においてプリンター２が印刷する２次元コード３３には、プリ
ンター２に対して入力された各種の設定の補正値が含まれている。よって、２次元コード
３３に担持された印刷設定情報に基づいてプリンター２の印刷設定が行われると、過去に
プリンター２に施した印刷設定が再現される。すなわち、特定のラベル用紙１０を使用す
るときに、当該特定のラベル用紙１０を過去に使用したときの印刷設定と同一の印刷設定
がプリンター２に再設定される。従って、プリンター２により印刷を行ったときに所望の
印刷結果を得ることができる。
【００５７】
また、印刷設定情報には媒体情報（用紙種類情報、用紙サイズ情報、ラベル位置検出方
法情報、フォーム情報）が含まれるので、印刷設定情報を用いてプリンター２を設定した
ときにラベル用紙１０に適した印刷設定がプリンター２に施される。さらに、印刷設定情
報には、印刷解像度情報および印刷速度情報が含まれるので、印刷設定情報を用いてプリ
ンター２を設定すれば、所望の印刷解像度の印刷結果を得ることができる。また、所望の
印刷速度で印刷を行うことができる。また、印刷設定情報には各種の設定の補正値が含ま
れるので、操作者が、特定のラベル用紙１０を用いるときにプリンター２の特性に対応す
るように補正した印刷設定を、そのまま再現できる。従って、テスト印刷などを行って頭
出し位置を調整する作業などを、ラベル用紙１０を交換する毎に行う必要がない。
【００５８】
さらに、２次元コード３３にはプリンター２の機種情報および個体識別情報が担持され
ている。ここで、印刷設定情報に含まれる各種の設定の補正値はプリンター２の機種毎、
或いは、個体毎の特性に合わせて入力されており、機種毎、或いは、個体毎に異なる場合
がある。従って、２次元コード３３に機種情報や個体識別情報が担持されていれば、２次
元コード３３に担持された機種情報がどのような機種（個体）のプリンター２に対応する
ものかを判断できる。従って、２次元コード３３に担持された情報を取得した情報端末４
は、プリンター２に対して、その機種、或いは、その個体に適合する印刷設定情報を送信
できる。
【００５９】
また、本例によれば、一つのプリンター２に施した印刷設定と同一の印刷設定を他のプ
リンター２に施すことも容易である。
【００６０】
（その他の実施の形態）
ここで、情報端末４とプリンター２との間の通信は、近距離無線通信に限られるもので
はない。例えば、ＩＥＥＥｌ８０２．１１など通信規格による無線通信、或いは、イーサ
ネット（登録商標）などの有線通信により情報端末４とプリンター２が通信されてもよい
。この場合には、情報端末４は、これらの通信規格によって通信を確立する際に用いるプ
リンター２のホスト名からプリンター２の機種情報を取得することができる。
【００６１】
また、上記の例では、ホスト装置３からプリンター２に印刷データが供給されているが
、情報端末４からプリンター２に印刷データを供給してもよい。
【００６２】
さらに、シール３２には、２次元コード３３とともに当該２次元コード３３に担持され
た印刷設定情報が文字により印刷されていてもよい。すなわち、コード印刷部５１は、ラ
ベル用紙１０に２次元コード３３を印刷する際に、２次元コード３３とともに当該２次元
コード３３に担持された印刷設定情報を文字で印刷してもよい。このようにすれば、操作
者が２次元コード３３に担持された印刷設定情報を確認できる。また、このようにすれば
、操作者がシール３２に印刷された印刷設定情報を手作業でプリンター２に入力すること
もできる。また、上記の例ではシール３２はラベル用紙１０の包装紙３１に貼り付けられ
ているが、ラベル用紙１０に直接貼り付けてもよい。
【符号の説明】
【００６３】
１…印刷システム、２…プリンター、３…ホスト装置、４…情報端末、５…筐体、６…排
紙口、７…操作パネル、８…表示部、９…操作ボタン、１０…ラベル用紙、１１…台紙、
１２…ラベル、１３…タッチパネル、１６…ラベル用紙収納部、１７…印刷ヘッド、１８
…搬送路、１９…搬送機構、２０…搬送ローラー、２１…搬送モーター、２２…ラベル位
置検出器、２５…第１通信部、２６…第２通信部（通信部）、２７…プリンター制御部、
２７…プリンター制御部、２８…印刷設定記憶部、３１…包装紙、３２…シール、３２…
端末側通信部、３３…ラベル、３３…２次元コード、３４…カメラ、４１…ホスト装置制
御部、４２…ホスト装置通信部、４５…印刷制御部、４６…頭出し制御部、４７…補正値
入力部、４８…補正値記憶部、５１…コード印刷部、５２…設定部、５５…端末制御部、
５６…端末通信部、５７…プリンター設定プログラム、６１…機種情報取得部、６２…設
定情報取得部、６３…設定情報送信部（設定情報供給部）、Ａ…印刷位置。
【図１】
2017120483.tif 000003
【図２】
2017120483.tif 000004
【図３】
2017120483.tif 000005
【図４】
2017120483.tif 000006